(57)【要約】【課題】飲料容器の交換作業を容易、且つ、衛生的に行うことのできる飲料ディスペンサを提供する。【解決手段】飲料容器１０におけるボトル１１の開口部１１ａに蓋部材１２を螺合し、蓋部材１２内の飲料水ＷＡの流路１２ｄを弁体１３で閉鎖するとともに、弁体１３をバネ部材１４により付勢するようにして第１の開閉弁を設けたので、飲料容器１０を飲料ディスペンサ本体１の上部に載置する際に、飲料容器１０におけるボトル１１の開口部１１ａ側を下方に向けても飲料水ＷＡが流出することがない。よって、飲料容器１０を飲料ディスペンサ本体１の上部に載置する作業を急ぐ必要がなく、即ち、飲料ディスペンサ本体１の上部に飲料容器１０を容易に載置することができる。【選択図】図１
2006008219.tif 000002
【特許請求の範囲】
【請求項１】
飲料を収容した飲料容器が飲料注出口を下方に向けて着脱自在に装着される飲料ディスペンサ本体と、飲料容器から供給される飲料を加熱または冷却して貯溜する飲料貯溜部と、飲料貯溜部内の飲料を外部に吐出可能な吐出弁とを備え、飲料ディスペンサ本体に飲料貯水部に連通する飲料注入口を設け、飲料注入口と飲料容器の飲料注出口とを着脱自在に連結するようにした飲料ディスペンサにおいて、
前記飲料容器の飲料注出口側には飲料ディスペンサ本体の飲料注入口に連結されると飲料注出口を開放する第１の開閉弁を設け、
飲料ディスペンサ本体の飲料注入口側には飲料容器の飲料注出口が連結されると飲料注入口を開放する第２の開閉弁を設けた
ことを特徴とする飲料ディスペンサ。
【請求項２】
前記第１の開閉弁を有し、飲料容器の飲料注出口側に着脱自在に取付けられる第１の連結部材と、
飲料ディスペンサ本体の飲料注入口側に設けられ、第１の連結部材が着脱自在に連結される第２の連結部材とを備えた
ことを特徴とする請求項１記載の飲料ディスペンサ。
【請求項３】
前記第１の連結部材を飲料容器の飲料注出口側に螺合することにより飲料容器に取付可能に形成した
ことを特徴とする請求項２記載の飲料ディスペンサ。
【請求項４】
前記第１の連結部材を飲料容器として用いられるペットボトルの飲料注出口側に螺合可能に形成した
ことを特徴とする請求項３記載の飲料ディスペンサ。
【請求項５】
前記第１の開閉弁を、飲料注出口を閉鎖可能な弁体と、弁体を飲料注出口の閉鎖方向に付勢するバネ部材とから構成し、弁体を飲料ディスペンサ本体の飲料注入口側との当接によりバネ部材の付勢力に抗して飲料注出口の開放方向に移動させるように形成し、
第２の開閉弁を、飲料注入口を閉鎖可能な弁体と、弁体を飲料注入口の閉鎖方向に付勢するバネ部材とから構成し、弁体を飲料容器の飲料注出口側との当接によりバネ部材の付勢力に抗して飲料注入口の開放方向に移動させるように形成した
ことを特徴とする請求項１、２、３または４記載の飲料ディスペンサ。
【請求項６】
前記飲料貯溜部を上下方向に移動自在に支持する支持機構と、
飲料貯溜部を上方に付勢するバネ部材と、
飲料貯溜部内の飲料の量を飲料貯溜部の上下方向の移動により検知する検知手段とを備えた
ことを特徴とする請求項１、２、３、４または５記載の飲料ディスペンサ。
【発明の詳細な説明】
【技術分野】
【０００１】
本発明は、例えば、ミネラルウォータ等の飲料水を収容した飲料容器を用いるとともに、飲料を冷却または加熱して吐出弁の操作により任意に吐出させる飲料ディスペンサに関するものである。
【背景技術】
【０００２】
一般に、飲料ディスペンサとしては、飲料ディスペンサ本体に飲料注出口を下方に向けて着脱自在に装着される飲料容器と、飲料容器から供給される飲料を加熱または冷却する飲料貯溜部と、飲料貯溜部から飲料を任意に吐出するための吐出弁とを備え、飲料ディスペンサ本体の上部の飲料容器の着脱部に飲料注出口に連通するとともに飲料貯溜部に連通する飲料注入口を設け、飲料容器内の飲料の自重によって飲料貯溜部へ飲料を供給し、吐出弁からの飲料を吐出するようにしたものが知られている（例えば、特許文献１参照）。
【特許文献１】特開２０００−８５８９３号公報
【発明の開示】
【発明が解決しようとする課題】
【０００３】
ところで、前記飲料ディスペンサに飲料容器を取付ける場合には、飲料容器を開封した後に、その飲料注出口を下方に向けて飲料ディスペンサ本体の上部に載置するようにしている。この際、飲料容器の飲料注出口から飲料が流出するのを防ぐため、素早く飲料容器を飲料ディスペンサ本体の上部に載置する必要があるが、飲料入りの飲料容器は一般に重いため、飲料容器の交換の際に飲料ディスペンサ本体の上部に飲料容器を載置する作業が容易ではなく、飲料容器の交換作業に苦労するという問題点があった。
【０００４】
また、新たな飲料容器に交換する際に飲料ディスペンサ上部の飲料容器を取外すと、飲料ディスペンサ本体上部の飲料注入口から空気中の雑菌や塵埃が侵入するおそれがあり、衛生面においても懸念が残されていた。
【０００５】
本発明は前記問題点に鑑みてなされたものであり、その目的とするところは、飲料容器の交換作業を容易、且つ、衛生的に行うことのできる飲料ディスペンサを提供することにある。
【課題を解決するための手段】
【０００６】
本発明は前記目的を達成するために、飲料を収容した飲料容器が飲料注出口を下方に向けて着脱自在に装着される飲料ディスペンサ本体と、飲料容器から供給される飲料を加熱または冷却して貯溜する飲料貯溜部と、飲料貯溜部内の飲料を外部に吐出可能な吐出弁とを備え、飲料ディスペンサ本体に飲料貯水部に連通する飲料注入口を設け、飲料注入口と飲料容器の飲料注出口とを着脱自在に連結するようにした飲料ディスペンサにおいて、前記飲料容器の飲料注出口側には飲料ディスペンサ本体の飲料注入口に連結されると飲料注出口を開放する第１の開閉弁を設け、飲料ディスペンサ本体の飲料注入口側には飲料容器の飲料注出口が連結されると飲料注入口を開放する第２の開閉弁を設けている。
【０００７】
これにより、飲料ディスペンサ本体に飲料容器を装着して飲料注出口と飲料注入口とが連結されると、第１及び第２の開閉弁が開放され、飲料容器の飲料が飲料ディスペンサ本体の飲料貯溜部に供給される。その際、飲料ディスペンサ本体に飲料容器を装着するまでは第１の開閉弁が閉鎖されているため、飲料容器の飲料注出口を下方に向けても飲料が飲料容器から流出することがない。一方、飲料容器を取外した後の飲料ディスペンサ本体の飲料注入口は第２の開閉弁により閉鎖されるため、空気中の雑菌や塵埃が飲料ディスペンサ内に侵入することがない。
【発明の効果】
【０００８】
本発明の飲料ディスペンサによれば、飲料ディスペンサ本体に飲料容器を装着するまでは、第１の開閉弁により飲料が飲料容器から流出することがないので、飲料ディスペンサ本体の上部に飲料容器を持ち上げる作業を急ぐ必要がなく、飲料ディスペンサ本体に飲料容器を容易に装着することができる。また、飲料容器を取外した後の飲料ディスペンサ本体の飲料注入口は第２の開閉弁により閉鎖されて雑菌や塵埃が飲料ディスペンサ内に侵入することがないので、飲料容器の交換作業を衛生的に行うことができる。
【発明を実施するための最良の形態】
【０００９】
図１乃至図５は本発明の第１の実施形態を示すもので、図１は飲料ディスペンサの概略断面図、図２は飲料容器取付前の飲料容器と飲料ディスペンサ本体との着脱部の要部断面図、図３は飲料容器取付後の飲料容器と飲料ディスペンサ本体との着脱部の要部断面図、図４は飲料容器本体取付前の飲料容器本体と蓋部材の要部断面図、図５は飲料水が不足している状態の飲料ディスペンサの概略断面図である。
【００１０】
この飲料ディスペンサは、飲料ディスペンサ本体１と、飲料ディスペンサ本体１の上部に取付けられる飲料容器１０と、飲料ディスペンサ１の内部に設けられ、飲料容器１０から供給される飲料水を加熱する飲料貯溜部２０と、飲料ディスペンサ本体１に設けられ、飲料貯溜部２０から飲料水を任意に吐出するための吐出弁３０を備えており、飲料容器１０は飲料ディスペンサ本体１の上部に設けられた第２の連結部材としての連結部材４０に着脱自在に取付けられている。
【００１１】
飲料ディスペンサ本体１は内部に飲料貯溜部２０を収容可能な中空部を有する箱状に形成されている。
【００１２】
飲料容器１０は、ボトル１１と、ボトル１１の開口部１１ａを閉鎖する蓋部材１２とから構成されている。
【００１３】
ボトル１１はプラスチック材料等からなる一端に開口部１１ａを有する容器であり、開口部１１ａ側が除々に細くなるように形成され、開口部１１ａの外周側にはネジ部１１ｂが設けられている。ボトル１１は、ネジ部１１ｂに螺合する図示しないキャップによって開口部１１ａを閉鎖され、内部にミネラルウォ−ターなどの飲料水ＷＡを収容した状態で販売されている。
【００１４】
蓋部材１２は、ボトル１１の軸方向に延びる筒状部１２ａと、筒状部１２ａの一端を閉鎖するように設けられた端面部１２ｂとを有している。筒状部１２ａの内周側にはネジ部１２ｃが設けられ、ボトル１１のネジ部１１ｂと螺合している。閉鎖部１２ｂの中央部には飲料水ＷＡを流通させるための飲料注出口としての流路１２ｄが設けられ、流路１２ｄの内側には弁体１３が挿通されている。また、流路１２ｄのボトル１１側の開口部には環状のシール部材１２ｅが設けられている。      
【００１５】
弁体１３は、流路１２ｄの内径よりも小さい外径のシャフト部１３ａと、シャフト部１３ａの一端に流路１２ｄの内径よりも大きく形成された当接部１３ｂとを有している。弁体１３のシャフト部１３ａは流路１２ｄにボトル１１側から挿入され、当接部１３ｂが環状のシール部材１２ｅに当接し、流路１２ｄを閉鎖するようになっている。また、シャフト部１３ａの他端側にはストッパリング１３ｃが取付けられ、ストッパリング１３ｃと端面部１２ｂとの間にコイルスプリングからなるバネ部材１４が圧縮状態で設けられている。即ち、弁体１３はバネ部材１４により流路１２ｄを閉鎖するように付勢されている。尚、流路１２ｄ、弁体１３、バネ部材１４により第１の開閉弁が構成されている。
【００１６】
飲料貯溜部２０は、内部に飲料水ＷＡを収容するタンク２１と、タンク２１内の飲料水ＷＡを加熱するヒータ２２と、タンク２１内の飲料水ＷＡの温度を測定する温度センサ２３と、タンク２１内と吐出弁３０とを連通する連通管２４とを備えている。また、タンク２１は飲料ディスペンサ本体１内にバネ部材２５により吊り下げられ、上方に付勢されている。
【００１７】
タンク２１は両端が閉鎖された円筒形状に形成され、タンク２１の下側をベース部２１ａにより支持されている。ベース部２１ａは飲料ディスペンサ本体１内の底面１ａに接地し、底面１ａに支持機構としての複数本の段付きボルト２１ｂにより上下方向に移動自在に連結されている。
【００１８】
ヒータ２２は周知の電熱器からなり、タンク２１の下側からタンク２１内に突出するように設けられている。
【００１９】
温度センサ２３は熱電対などの周知の機器からなり、タンク２１の上側からタンク２１内に突出するように設けられている。
【００２０】
連通管２４はウレタン材料などから形成された可撓性のチューブ状部材からなり、一端がタンク２１の上側からタンク２１内に突出するように挿入され、他端が吐出弁３０に連通している。
【００２１】
バネ部材２５は金属製のコイルスプリングからなり、一端が飲料ディスペンサ本体１内の上面に固定され、他端がタンク２１の上面に固定されている。また、タンク２１内の連通管２４が飲料水ＷＡに浸るまで飲料水ＷＡが満たされている時は、ベース部２１ａが飲料ディスペンサ本体１内の底面１ａに接地し、飲料水ＷＡが不足してタンク２１内のヒータ２２が露出した時は、図５に示すようにベース部２１ａが底面１ａから上昇するようにバネ部材２５の付勢力が設定されている。
【００２２】
また、ベース部２１ａの底面には、検出手段としてのスイッチ２６が設けられている。スイッチ２６は、ベース部２１ａが飲料ディスペンサ本体１内の底面１ａに接地している時はヒータ２２に電力を供給し、ベース部２１ａが底面１ａから上昇した時はヒータ２２への電力供給を遮断するようになっている。
【００２３】
吐出弁３０はスピンドルの回転により流路を開閉する構造の周知の流量制御弁であり、その吐出口を下に向けて飲料ディスペンサ本体１の側面部に固定されている。また、飲料ディスペンサ本体１の吐出弁３０の下側に飲料用カップを載置する載置台１ｂが設けられている。
【００２４】
連結部材４０は飲料ディスペンサ本体１の上面に固定されており、その上端側にボトル１１の蓋部材１２と連結可能な凹状部４０ａが形成されている。また、連結部材４０の下端側とタンク２１内の底面とは連通管４１により連通し、連結部材４０の下端側に連通管４１に連通する中空部４０ｂが形成されている。凹状部４０ａと中空部４０ｂとは飲料注入口としての流路４０ｃにより連通しており、流路４０ｃの内側には弁体４２が挿通されている。また、流路４０ｃにおける凹状部４０ａ側の開口部及び中空部４０ｂ側の開口部には、環状のシール部材４０ｄ，４０ｅがそれぞれ設けられている。
【００２５】
弁体４２は、流路４０ｃの内径よりも小さい外径のシャフト部４２ａと、シャフト部４２ａの一端に流路４０ｃの内径よりも大きく形成された当接部４２ｂとを有している。弁体４２のシャフト部４２ａは流路４０ｃに中空部４０ｂ側から挿入され、当接部４２ｂが環状のシール部材４０ｅに当接し、流路４０ｃを閉鎖するようになっている。また、シャフト部４２ａの他端側にはストッパリング４２ｃが取付けられ、ストッパリング４２ｃと流路４０ｃとの間にコイルスプリングからなるバネ部材４３が圧縮状態で設けられている。即ち、弁体４２はバネ部材４３により流路４０ｃを閉鎖するように付勢されている。尚、流路４０ｃ、弁体４２、バネ部材４３により第２の開閉弁が構成されている。
【００２６】
また、中空部４０ｂの底面にはエア抜き孔４０ｆが設けられ、エア抜き孔４０ｆの開口部には逆止弁４０ｇを介してエアフィルタ４０ｈが取付けられている。ここで、逆止弁４０ｇは中空部４０ｂからの飲料水ＷＡの流出を規制し、エアフィルタ４０ｈ側からの空気の流入を許容するようになっている。
【００２７】
以上のように構成された飲料ディスペンサにおいては、先ず、飲料ディスペンサ本体１の上部の連結部材４０に飲料容器１０を取付けるために、飲料容器１０の蓋部材１２を連結部材４０の凹状部４０ｂに挿入し、蓋部材１２の端面部１２ｂをシール部材４０ｄに当接させる。ここで、飲料容器１０を蓋部材１２側を下方に向けて飲料ディスペンサ本体１の上部まで持ち上げる際には、蓋部材１２の流路１２ｄは弁体１３により閉鎖されている。また、蓋部材１２を連結部材４０の凹状部４０ａに挿入すると、蓋部材１２の弁体１３におけるシャフト部１３ａと連結部材４０の弁体４２におけるシャフト部４２ａとが当接し、各弁体１３，４２が各バネ部材１４，４３の付勢力に抗して各弁体の軸方向に移動する。これにより、飲料容器１０内と飲料貯溜部２０のタンク２１内とが、蓋部材１２の流路１２ｄ、連結部材４０の流路４０ｃ、連結部材４０の中空部４０ｂ及び連通管４１を介して連通し、タンク２１内に連通管２４が浸るまで飲料水ＷＡが流入する。
【００２８】
次に、タンク２１内に流入した飲料水ＷＡはヒータ２２及び温度センサ２３により温度調整され、連通管２４を介して吐出弁３０から任意に吐出される。
【００２９】
ここで、飲料容器１０の飲料水ＷＡが無くなると、タンク２１内の水位が低下して連通管２４に飲料水ＷＡが流通しなくなり、さらには、ヒータ２２が飲料水ＷＡから露出する。この時、飲料貯溜部２０が軽くなり、バネ部材２５により飲料貯溜部２０のベース部２１ａが飲料ディスペンサ本体１内の底面１ａから上昇し、スイッチ２６によりヒータ２２への電力供給が遮断される。
【００３０】
このように、本実施形態の飲料ディスペンサによれば、飲料容器１０におけるボトル１１の開口部１１ａに蓋部材１２を螺合し、蓋部材１２内の飲料水ＷＡの流路１２ｄを弁体１３で閉鎖するとともに、弁体１３をバネ部材１４により付勢するようにして第１の開閉弁を設けたので、飲料容器１０を飲料ディスペンサ本体１の上部に載置する際に、飲料容器１０におけるボトル１１の開口部１１ａ側を下方に向けても飲料水ＷＡが流出することがない。よって、飲料容器１０を飲料ディスペンサ本体１の上部に載置する作業を急ぐ必要がなく、即ち、飲料ディスペンサ本体１の上部に飲料容器１０を容易に載置することができる。
【００３１】
また、連結部材４０に流路４０ｃ、弁体４２、バネ部材４３からなる第２の開閉弁を設けたので、飲料容器１０の交換の際、飲料容器１０を外した後において、流路４０ｃからの空気中の雑菌や塵埃などの侵入が防止され、衛生的に飲料容器１０の交換作業を行うことができる。
【００３２】
また、飲料容器１０の蓋部材１２を飲料ディスペンサ本体１の上部に設けられた連結部材４０に挿入すると、蓋部材１２における弁体１３のシャフト部１３ａと連結部材４０における弁体４２のシャフト部４２ａとが当接し、各弁体１３，４２が各スプリング１４，４３の付勢力に抗して各弁体の軸方向に移動し、蓋部材１２の流路１２ｄ及び連結部材４０の流路４０ｃが開放され、飲料容器１０から飲料貯溜部２０に飲料水ＷＡが供給される。
【００３３】
ここで、飲料容器１０をボトル１１と蓋部材１２とから構成し、ボトル１１と蓋部材１２とを螺合するようにしたので、飲料容器１０を交換する際は、新たなボトル１１の開口部に蓋部材１２を螺合し、それを飲料ディスペンサ本体１の上部に載置するだけで良い。即ち、飲料容器１０の開口部１１ａに第１の開閉弁を取付ける作業を容易に行うことができる。
【００３４】
さらに、飲料貯溜部２０を飲料ディスペンサ本体１内に上下方向に移動自在に支持するとともにバネ部材２５により上方に付勢し、飲料貯溜部２０のタンク２１内において連通管２４が浸るまで飲料水ＷＡが満たされている場合は、飲料貯溜部２０のベース部２１ａが飲料ディスペンサ本体１内の底面１ａに接地し、飲料水ＷＡが減少してヒータ２２が露出した場合は、ベース部２１ａが底面１ａから上昇するようにし、また、ベース部２１ａの下面にヒータ２２のスイッチ２６を設け、スイッチ２６によりベース部２１ａの上昇を検知してヒータ２２への電力供給を遮断するようにしたので、ヒータ２２による空焚きを防止することができる。また、タンク２１内の飲料水ＷＡの水位を検知するため、フロータなどの飲料水ＷＡと直接接触する機器を使用しないため、飲料水ＷＡの味を劣化させることがない。
【００３５】
尚、飲料容器１０のボトル１１は内部に飲料水ＷＡを収容することが可能で、開口部１１ａの外周側にネジ部１１ｂが設けられたものであれば良いため、市販されているペットボトル入りの飲料水ＷＡを用いることも可能である。ペットボトル入りの飲料水ＷＡは市場の多く流通しているため入手しやすく、また、容量の選択の幅も広いため、飲料ディスペンサ本体への飲料容器１０の装着をより容易にするため、容量の小さいものを選定することも可能である。
【００３６】
さらに、本実施形態では、飲料貯溜部２０内の飲料水ＷＡをヒータ２２により加熱するものを示したが、ヒータ２２の代わりに蒸発器などの冷却器を用いて、飲料貯溜部２０内の飲料水ＷＡを冷却するようにしても良い。また、飲料貯溜部２０を複数個用いて、各飲料貯溜部２０ごとに飲料水ＷＡの加熱または冷却を選択するようにしても良い。
【００３７】
図６は本発明の第２の実施形態を示す飲料ディスペンサの概略断面図である。尚、第１の実施形態と同等の構成部分には同一の符号を付して示す。
【００３８】
本実施形態は、第１の実施形態におけるボトル１１を変更したものである。即ち、第１の実施形態で用いたボトル１１はプラスチックなどからなる定形性を有する容器であったが、本実施形態では、ボトル５０を、外周側にネジ部５１ａが設けられた円筒状の開口部材５１と、開口部材の一端側に連結された可撓性プラスチック材料からなる袋部５２とから構成した。
【００３９】
これにより、連結部材４０の下面に設けたエア抜き孔４０ｆによるボトル５０内へのエアの供給が不要となるため、エア抜き孔４０ｆ、逆止弁４０ｇ及びエアフィルタ４０ｈが不要となる。また、ボトル５０内に空気中の雑菌や塵埃がより侵入しなくなるため、飲料水ＷＡの衛生状態を向上させることができる。
【００４０】
図７は本発明の第３の実施形態を示す飲料ディスペンサの要部断面図である。尚、第１の実施形態と同等の構成部分には同一の符号を付して示す。尚、本実施形態は、第１の実施形態における連結部材４０を連結部材６０に変更したものである。
【００４１】
連結部材６０は飲料ディスペンサ本体１の上部に固定されており、その上端側にボトル１１の蓋部材１２と連結可能な凹状部６０ａが形成されている。また、連結部材６０の下端側にも凹状部６０ｂが形成されており、凹状部６０ａと凹状部６０ｂとは飲料注入口としての流路６０ｃにより連通し、流路６０ｃの内側には弁体６１が挿通されている。また、流路６０ｃの凹状部６０ａ側の開口部及び凹状部６０ｂ側の開口部には環状のシール部材６０ｄ、６０ｅがそれぞれ設けられている。
【００４２】
弁体６１は、流路６０ｃの内径よりも小さい外径のシャフト部６１ａと、シャフト部６１ａの一端に流路６０ｃの内径よりも大きく形成された当接部６１ｂとを有している。弁体６１のシャフト部６１ａは流路６０ｃに凹状部６０ｂ側から挿入され、当接部６１ｂが環状のシール部材６０ｅに当接し、流路６０ｃを閉鎖するようになっている。また、シャフト部６０ａの他端側にはストッパリング６１ｃが取付けられ、ストッパリング６０ｃと流路６０ｃとの間にコイルスプリングからなるバネ部材６２が圧縮状態で設けられている。即ち、弁体６１はバネ部材６２により流路６０ｃを閉鎖するように付勢されている。尚、流路６０ｃ、弁体６１、バネ部材６２により第２の開閉弁が構成されている。
【００４３】
連結部材６０の下端側は密閉容器６３に挿入され、密閉容器６３内の底面とタンク２１内の底面とは連通管４１によって連通している。また、密閉容器６３の側面上方にはエア抜き孔６３ａが設けられ、エア抜き孔６３ａの開口部にはエアフィルタ６３ｂが取付けられている。
【００４４】
以上のように構成された飲料ディスペンサにおいては、飲料容器１０の蓋部材１２を連結部材６０の凹状部６０ａに挿入すると、蓋部材１２の閉鎖部１２ｂがシール部材６０ｄに当接する。また、蓋部材１２における弁体１３のシャフト部１３ａと連結部材６０における弁体６１のシャフト部６１ａとが当接し、各弁体１３，６１が各バネ部材１４，６２の付勢力に抗して各弁体の軸方向に移動する。これにより、飲料容器１０内と凹状部６０ｂとが連通し、凹状部６０ｂ及び連通管４１を介して飲料貯溜部２０に飲料水ＷＡが供給される。この際、密閉容器６３内では、連結部材６０の下端まで飲料水ＷＡが満たされ、連結部材６０の外周側に空気層が形成される。この空気層とエア抜き孔６３ａが連通し、飲料容器１０内に空気が補充されるようになっている。よって、本実施形態の飲料ディスペンサによれば、第１の実施形態と同様の作用効果を得ることが可能である。
【図面の簡単な説明】
【００４５】
【図１】本発明の第１の実施形態を示す飲料ディスペンサの概略断面図
【図２】飲料容器取付前の飲料容器と飲料ディスペンサ本体との着脱部の要部断面図
【図３】飲料容器取付後の飲料容器と飲料ディスペンサ本体との着脱部の要部断面図
【図４】飲料容器本体取付前の飲料容器本体と蓋部材の要部断面図
【図５】飲料水が不足している状態の飲料ディスペンサの概略断面図
【図６】本発明の第２の実施形態を示す飲料ディスペンサの概略断面図
【図７】本発明の第３の実施形態を示す飲料ディスペンサの要部断面図
【符号の説明】
【００４６】
１…飲料ディスペンサ本体、１０…飲料容器、１１…ボトル、１１ａ…開口部、１１ｂ…ネジ部、１２…蓋部材、１２ｃ…ネジ部、１２ｄ…流路、１３…弁体、１３ａ…シャフト部、１３ｂ…当接部、１３ｃ…ストッパリング、１４…バネ部材、２０…飲料貯溜部、２１…タンク、２１ａ…ベース部、２１ｃ…段付きボルト、２２…ヒータ、２３…温度センサ、２４…連通管、２５…バネ部材、３０…吐出弁、４０…連結部材、４０ａ…凹状部、４０ｂ…中空部、４０ｃ…流路、４１…連通管、４２…弁体、４２ａ…シャフト部、４２ｂ…当接部、４３…バネ部材、５０…ボトル、５１…開口部、５２…袋部、６０…連結部材、６０ａ…凹状部、６０ｂ…凹状部、６０ｃ…流路、６１…弁体、６１ａ…シャフト部、６１ｂ…当接部、６２…バネ部材、６３…密閉容器、ＷＡ…飲料水。
【図１】
2006008219.tif 000003
【図２】
2006008219.tif 000004
【図３】
2006008219.tif 000005
【図４】
2006008219.tif 000006
【図５】
2006008219.tif 000007
【図６】
2006008219.tif 000008
【図７】
2006008219.tif 000009